(57)【要約】【課題】  同じサイズのブロックを簡単に生成することができる紙処理装置を提供する。【解決手段】  紙処理装置１は、溶液中の廃紙を残して排水する廃紙集積部１７と、廃紙集積部１７に集められた廃紙を固形ブロックにするために圧縮する圧縮部１８と、廃紙集積部１７から排出された溶液の水量を検出する水量検出部２０を備える。水量検出部２０は、排出された溶液の水量が多くなるにつれて大きく揺動する揺動部２２と、揺動部２２が所定の揺動角となったことを検出する揺動検出部２３とで構成され、該検出を契機に圧縮部１８を動作させる。【選択図】図６Ａ
2016138341.tif 000002
【特許請求の範囲】
【請求項１】
廃紙を液体中で撹拌し、解繊処理する紙処理装置（１）であって、
投入した廃紙を解繊する液体を蓄えるタンク部（５）と、
前記タンク内に設けられた撹拌用の回転翼部（１２）と、
解繊した廃紙を含む溶液を前記タンク部の底部から吸引するポンプ部（１５）と、
前記ポンプ部により吸引された溶液を通過させ、該溶液中の廃紙を残して排水する廃紙集積部（１７）と、
前記廃紙集積部に集められた廃紙を固形ブロックにするために圧縮する圧縮部（１８）と、
前記廃紙集積部から排出された溶液の水量を検出する水量検出部（２０，３０）とを備え、
前記水量検出部は、前記排出された溶液の水量が多くなるにつれて大きく揺動する揺動部（２２，３２）と、該揺動部が所定の揺動角となったことを検出する揺動検出部（２３，３３）とで構成され、該検出を契機に前記圧縮部を動作させることを特徴とする紙処理装置。
【請求項２】
請求項１に記載の紙処理装置において、
前記揺動部（２２）は、前記排出された溶液の水流を受ける棒状部材（２２ａ）が、前記廃紙集積部から流出する排水の流路（２１）の出口に位置するように軸支されていることを特徴とする紙処理装置。
【請求項３】
請求項１に記載の紙処理装置において、
前記揺動部（３２）は、前記排出された溶液の水流を受ける平板（３２ａ）を有する部材が、前記廃紙集積部から流出する排水の流路（３１）の出口に位置するように軸支されていることを特徴とする紙処理装置。
【発明の詳細な説明】
【技術分野】
【０００１】
本発明は、廃紙を液体中で撹拌して処理する紙処理装置に関する。
【背景技術】
【０００２】
近年、大量に発生する古紙を機密が守られるように裁断等の処理をして、さらに再利用する技術が注目されている。シュレッダーとは異なる装置としては、液体の入った容器の底部に回転翼を設け、容器内を撹拌して紙料を処理する装置が知られている。
【０００３】
例えば、特許文献１の紙処理装置では、撹拌羽根で撹拌され、繊維が切断されない状態で水中に溶解した廃紙が、圧縮シリンダにより圧縮され、溶解液中の溶解物がブロック状にプレス成形される。また、圧縮シリンダの到達位置を測定する位置センサを備え、位置センサで検出された情報が制御部へ送信される。制御部は、圧縮シリンダの到達位置から溶解物ブロックの厚みを推定する（特許文献１／段落００４１〜００４５、図７）。
【先行技術文献】
【特許文献】
【０００４】
【特許文献１】特開２０１４−１２４５８６号公報
【発明の概要】
【発明が解決しようとする課題】
【０００５】
しかしながら、上記の方法は位置センサが必要となる上に、溶解物ブロックの厚みを推定するため様々な判定処理を繰り返す必要があり、複雑である。
【０００６】
本発明は、このような事情に鑑みてなされたものであり、同じサイズのブロックを容易に生成することが可能な紙処理装置を提供することを目的とする。
【課題を解決するための手段】
【０００７】
本発明は、廃紙を液体中で撹拌し、解繊処理する紙処理装置（１）であって、投入した廃紙を解繊する液体を蓄えるタンク部（５）と、前記タンク内に設けられた撹拌用の回転翼部（１２）と、解繊した廃紙を含む溶液を前記タンク部の底部から吸引するポンプ部（１５）と、前記ポンプ部により吸引された溶液を通過させ、該溶液中の廃紙を残して排水する廃紙集積部（１７）と、前記廃紙集積部に集められた廃紙を固形ブロックにするために圧縮する圧縮部（１８）と、前記廃紙集積部から排出された溶液の水量を検出する水量検出部（２０，３０）とを備え、前記水量検出部は、前記排出された溶液の水量が多くなるにつれて大きく揺動する揺動部（２２，３２）と、該揺動部が所定の揺動角となったことを検出する揺動検出部（２３，３３）とで構成され、該検出を契機に前記圧縮部を動作させることを特徴とする。
【０００８】
本発明では、液体の入ったタンク部に廃紙が投入されると、回転翼部によってタンク内部が撹拌され、廃紙が細かく解繊（繊維を切らず、ほぐした状態）される。そして、解繊した廃紙を含む溶液がポンプ部により吸引され、廃紙集積部に集められる。ここでは、廃紙を残して排水されるので、廃紙集積部が圧縮されると、廃紙を固めた固形ブロックが生成される。
【０００９】
排出された溶液が流れる領域には揺動部を配置し、水量を調べるのに用いる。初めは廃紙集積部に溜まっている廃紙が少ないので排水の量が多いが、廃紙集積部が廃紙で満たされてくると単位時間当たりに流れる排水の量が減少する。この変化を揺動部の揺動角（振れ角）を利用して検出し、圧縮部を動作させる。これにより、常にほぼ同じ量の廃紙が溜まった時点で圧縮が行われるので、同じサイズの固形ブロックを容易に生成することができる。
【００１０】
本発明の紙処理装置において、前記揺動部（２２）は、前記排出された溶液の水流を受ける棒状部材（２２ａ）が、前記廃紙集積部から流出する排水の流路（２１）の出口に位置するように軸支されていることが好ましい。
【００１１】
本発明では、棒状部材が排水の流路の出口に位置するように軸支されているので、水流を受けるとこれに押されて揺動し、水流がなくなると初期位置に戻る。従って、棒状部材の揺動角を揺動検出部で検出して圧縮部を動作させることができる。また、揺動部を棒状にすることで、溶液に混ざった細かい紙片が付着して、重さによって揺動が小さくなるのを防止する効果もある。
【００１２】
また、本発明の紙処理装置において、前記揺動部（３２）は、前記排出された溶液の水流を受ける平板（３２ａ）を有する部材が、前記廃紙集積部から流出する排水の流路（３１）の出口に位置するように軸支されていることが好ましい。
【００１３】
本発明では、平板を有する部材が排水の流路の出口に位置するように軸支され、平板が水流を受けるとこれに押されて該部材が揺動し、水流がなくなると初期位置に戻る。従って、この部材の揺動角を揺動検出部で検出して圧縮部を動作させることができる。平板は水流を受ける領域が比較的広いので、流れる水量が少なくても正確に揺動する。
【図面の簡単な説明】
【００１４】
【図１】紙処理装置の左側面から見たときの内部構成図。
【図２】紙処理装置の右側面から見たときの内部構成図。
【図３】撹拌槽の斜視図。
【図４】回転翼、プレート、底面容器の斜視図。
【図５】図４のV-V線に沿う断面図。
【図６Ａ】監視装置の斜視図。
【図６Ｂ】監視装置を構成する揺動部、揺動検出センサの拡大図。
【図７】槽内濃度の時間変化と紙処理装置の制御を説明する図。
【図８】監視装置の斜視図（変更例）。
【発明を実施するための形態】
【００１５】
初めに、図１及び図２を参照して、紙処理装置１とこれを構成する各部品の役割を簡潔に説明する。
【００１６】
図１は、紙処理装置１を左側面から見たときの内部の様子を示した図である。ここでは、右上部分が廃紙の投入口２となっている。使用者が投入口２から廃紙を投入すると、廃紙は投入シュータ３を通過して撹拌槽５に落下する。
【００１７】
なお、紙処理装置１には操作パネル（図示省略）があり、使用者が操作パネルを操作すると、投入口２の投入口シャッタが開いて廃紙の投入が行えるようになる。また、操作パネルの操作により、以下で説明する各動作が開始する。
【００１８】
撹拌槽５は、八角形の容器であり、通常、水が約３０リットル貯蓄されている。この水は水道水であり、廃紙の溶解を促進するような薬品等は含まれていない。また、撹拌槽５の水位確認は、フロート８の高さを検出できる２つの水位検出センサ８’により行われる。そして、水位が低く、水が不足していると判断された場合には、紙処理装置１の上段背面側（図の左上）にある給水タンク９のバルブを開放し、水を補充する。
【００１９】
また、紙処理装置１の上段中央（投入シュータ３と給水タンク９の間）には、撹拌駆動モータ１０が配設されている。撹拌駆動モータ１０は、回転軸１１を介して回転翼１２と接続している。廃紙が投入された後には、撹拌駆動モータ１０により回転翼１２を回転させ、所定時間撹拌する。これにより、廃紙はファイバ状に細かく解繊される。
【００２０】
その後、プレート１３に設けられた排出穴１３ａを通過できる程度に細かくなった廃紙は、一時的に底面容器１４に溜まる。そして、細かくなった廃紙が水と混合した状態で後述する吐出ポンプ１５により吸い上げられる。
【００２１】
なお、図１において、投入シュータ３と２つの水位検出センサの間には、本装置の最終生成物であって、廃紙を固めた固形ブロックを生成するタイミングを検出する監視装置２０が設けられている。監視装置２０の詳細は後述する。
【００２２】
図２は、紙処理装置１を右側面から見たときの内部の様子を示した図である。ここでも、図の底面付近に底面容器１４が見えている。
【００２３】
紙処理装置１の中段背面側（図の中段右側）には、吐出ポンプ１５が配設されている。図示していないが、底面容器１４と吐出ポンプ１５は、ホースで接続されており、底面容器１４に溜まっている廃紙は、水と混合した状態で吐出ポンプ１５により吸い上げられる。吐出ポンプ１５は、紙処理装置１の中段中央に配設されたポンプ駆動モータ１６により駆動する。
【００２４】
吐出ポンプ１５により吸い上げられた廃紙（水と混合した状態）は、さらに、廃紙集積部１７に送り出される。廃紙集積部１７には、廃紙を集める円筒状の容器（圧縮シリンダ１７ａ）があり、これには廃紙が通過しない程度の小さい穴（直径１〜１．５ｍｍ）が多数空けられている。このため、廃紙はこの部分に溜まり、排水のみ図示しない流路を通じて撹拌槽５に戻される。なお、このときの排水の量を監視装置２０で検出している。
【００２５】
紙処理装置１の上段には、圧縮装置１８が配設されており、所定のタイミングでピストンを動作させ、圧縮シリンダ１７ａに集められた廃紙を圧縮、脱水する。この一連の動作により円柱状の固形ブロックが生成される。
【００２６】
撹拌により撹拌槽５の廃紙の解繊が進み、後述する揺動検出センサ２３による所定の揺動角の検出により、圧縮装置１８の圧縮が開始すると、約２５〜５０秒（廃紙の材質や量による）の間隔で圧縮が繰り返され、次々と固形ブロックが生成される。そして、撹拌槽５の濃度が水に近い状態に戻り、固形ブロックを生成するのに所定時間以上かかるようになると、撹拌から圧縮までの一連の動作が停止する。
【００２７】
固形ブロックは、生成後に紙処理装置１の中段前面側に配設された排出シュータ１９に向けて押し出され、排出口から紙処理装置１の外に排出される。固形ブロックは、比較的小さい上、紙の繊維が残っている状態であるから、様々な目的で再利用することができる。
【００２８】
なお、図２の底面容器１４の上方には、ブレーカや制御装置が配設されている。ブレーカは、紙処理装置１の電源スイッチと接続されている。また、制御装置は、操作パネルから入力された情報や各種センサの信号を受けて、紙処理装置１の各部分を制御する。
【００２９】
次に、図３を参照して、撹拌槽５における廃紙の解繊について詳細を説明する。
【００３０】
まず、撹拌の１サイクルは、２５秒間の正回転（図中の矢印方向）、一時停止、５秒間の逆回転で構成される。撹拌槽５の底面付近にある回転翼１２は、上述の撹拌駆動モータ１０を駆動させることで回転し、主に正回転時に廃紙を解繊する。
【００３１】
正回転の時間が終了すると、所定時間、撹拌駆動モータ１０を停止させ、その後、撹拌駆動モータ１０を再び駆動させて回転翼１２を逆回転（時計回り）させる。逆回転は、回転翼１２に絡みついた廃紙をほぐす目的で行われる。
【００３２】
１サイクルが終了した時に撹拌槽５の水位が確認され、水位が低下している場合には、制御装置が所定時間バルブを開放して、給水タンク９から水を補充する。その後、撹拌の残りサイクルがあれば、再度正回転に切替わる。このように、撹拌を何サイクルか繰り返すことにより、廃紙は細かく砕かれ、プレート１３の排出穴を通過して、底面容器１４に落下する。
【００３３】
次に、図４及び図５を参照して、回転翼１２とプレート１３の詳細を説明する。
【００３４】
まず、図４に示すように、回転翼１２（ステンレス製）は、４枚の翼片を９０°間隔で配置している。また、１枚の翼片は、本体部１２ａ、先端部１２ｂ及びヘラ部１２ｃから構成されている。
【００３５】
本体部１２ａは、薄板を回転方向に対して垂直に立てた状態で、回転軸１１から外側方向に延びている。回転軸１１付近の面積を大きくしているのは、撹拌力を大きくして廃紙の解繊を促進するためである。
【００３６】
先端部１２ｂは、本体部１２ａの端部を回転方向に折り曲げた部分である。ここで、先端部１２ｂの最先端部は、回転翼１２の逆回転方向を向いている。最先端部は細くなっているが、ナイフの刃のように尖らせてはいない。しかし、回転時に廃紙と接触すると、廃紙を砕いてファイバ状に解繊する。
【００３７】
ヘラ部１２ｃは、本体部１２ａの略中央に取付けられた、又は略中央部から延びた部分である。プレート１３と平行な平板部１２ｃ−１は、回転時、プレート１３から僅かに離れた位置に保たれる。そして、回転翼１２が正回転するとき、平板部１２ｃ−１がプレート１３の排出穴１３ａの中に留まっている廃紙を底面容器１４に向けて押し出す。
【００３８】
図５は、回転翼１２、プレート１３及び底面容器１４からなる部分の断面図（図４のＶ−Ｖ線）である。
【００３９】
回転翼１２は、正回転のとき、図中の矢印方向に回転する。このとき、それぞれの排出穴１３ａは、初めに平板部１２ｃ−１がその上方を通過し、その後、本体部１２ａから斜め下方向に延びて平板部１２ｃ−１と接続する斜板部１２ｃ−２が、その上方を通過する。従って、斜板部１２ｃ−２が排出穴１３ａの上方を通過したとき、抑えられていた水が一気に解放され、上向きの水流が生じる（破線の矢印）。
【００４０】
これにより、底面容器１４へ落下せずに残った廃紙が巻き上げられ、排出穴１３ａから剥がされるので、排出穴１３ａの目詰まりを防止することができる。なお、斜板部１２ｃ−２の進行方向前側でも上向きの水流が生じるので、この付近に残った廃紙は再び撹拌される。
【００４１】
なお、ヘラ部１２ｃとプレート１３との間隔をＤ１、排出穴１３ａの直径をＤ２としたとき、Ｄ１＜Ｄ２となるように距離を調整すると、廃紙の溶解（解繊）効率が良いことが実験により確かめられた。
【００４２】
特に、ヘラ部１２ｃとプレート１３との間隔を、Ｄ２×１／１０≦Ｄ１≦Ｄ２×１／２とした状態では、排出穴１３ａの目詰まりが起こりにくく、固形ブロックの生成にかかる時間が短縮される。実験によれば、Ｄ１＝Ｄ２×１／８の条件のとき、最も良い結果が得られた。また、排出穴１３ａの直径の最適値は８．０ｍｍであったので、本装置では、Ｄ１＝１．０ｍｍ、Ｄ２＝８．０ｍｍを採用した。
【００４３】
上記のように、回転翼１２の形状やヘラ部１２ｃとプレート１３との距離を調整したことで、廃紙の溶解時間が従来の７０％程度に短縮された。そして、実施例の紙処理装置１では、１時間当たり２００〜２５０枚程度の廃紙を処理することが可能になった。
【００４４】
次に、図６Ａ、６Ｂを参照して、監視装置２０の詳細を説明する。なお、図６Ａでは、内部構造が視認できるようにケースの内側を示している。
【００４５】
まず、監視装置２０（本発明の「水量検出部」）を構成する配管２１は、廃紙集積部１７から排出される水を受ける排出樋（図示省略）とホースで接続されているので、廃紙が取り除かれた水（以下、排水という）が廃紙集積部１７の下方に配置する監視装置２０の本体側に送られてくる。なお、配管２１は、その内部や端部に細かい紙片が付着し難くするため、フッ素加工が施してある。
【００４６】
配管２１を通過した排水は、ケース２４内に位置する管先端から流出し、図示しない流路を通じて撹拌槽５に戻される。ここで、管先端には、揺動部２２の揺動棒２２ａ（本発明の「棒状部材」）が配置されている。
【００４７】
配管２１に排水が流れていない状態では、排水による力を受けないので、揺動棒２２ａは、管先端から１〜２ｍｍ離れた状態（初期状態）で静止している。これは、紙処理装置１の動作停止後に、配管２１から垂れてきた紙片が揺動棒２２ａや管先端に付着するのを防止するためである。また、吐出ポンプ１５による吐出が開始し、排水が配管２１を流れるようになると、排水による力を受けて揺動棒２２ａの下端側から管先端を離れ、徐々に振れ角が大きくなる。
【００４８】
図示するように、揺動棒２２ａは、配管２１の中心を通る直線上に配置されているので、配管２１を流れる排水が少量の場合でも、配管２１の下端付近を流れる排水の力を受けて正確に揺動する。また、揺動部２２を棒状にしたことで、排水に混じった細かい紙片が揺動棒２２ａに付着し難くなっている。
【００４９】
揺動棒２２ａの上方には、フォトマイクロスイッチである揺動検出センサ２３（本発明の「揺動検出部」）が配置されている。また、揺動部２２は被検出片２２ｂ（図６Ｂ参照）を有するので、揺動棒２２ａの振れ始めたとき、揺動検出センサ２３が反応し、揺動の開始を検出する。廃紙集積部１７の圧縮シリンダに溜まった廃紙が少ないうちは、多くの排水が配管２１を流れるので、揺動棒２２ａの振れ角が大きい状態で保たれる。
【００５０】
しかし、圧縮シリンダが廃紙で満たされてくると、徐々に配管２１を流れる排水の量が減少し、揺動棒２２ａの振れ角が小さくなる。そして、所定の振れ角になったとき、揺動検出センサ２３によって被検出片２２ｂが検出され、揺動検出センサ２３が再度反応する。
【００５１】
実施例の紙処理装置１では、揺動検出センサ２３の再度の反応により制御信号が出力される。このとき、制御装置は、吐出ポンプ１５による吐出を一時停止し、圧縮装置１８による圧縮を開始する。このように、排水量の変化をトリガとして圧縮を行うので、常にほぼ同じ大きさの固形ブロックが生成される。なお、配管２１を流れる排水の水圧を測定し、その変化をトリガとして圧縮を行うようにしてもよい。
【００５２】
所定時間が経過したとき圧縮する装置の場合には、溜まった廃紙が多いか否かで固形ブロックの大きさが変わってしまう。また、撹拌槽５の濃度を濃度計等で調べて圧縮する方法も考えられるが、廃紙が水に溶けている状態であるから、濃度の測定が大変難しい。この点、フォトマイクロスイッチや揺動部等の部品があれば製作可能な上記の監視装置２０は、構成が簡易であり、大変優れている。
【００５３】
次に、図６Ｂに監視装置２０を構成する揺動部２２及び揺動検出センサ２３の拡大図を示す。上述の揺動棒２２ａ及び被検出片２２ｂは、揺動軸２２ｃに取付けられている。被検出片２２ｂは、揺動検出センサ２３のレーザ光が出力されている凹部を通過する。また、揺動軸２２ｃは、図６Ａに示したように、揺動部２２を覆うケース２４の溝に軸支される。
【００５４】
揺動棒２２ａの揺動軸２２ｃに対して反対側には、ストッパ２２ｄが取付けられている。揺動棒２２ａは、その自重により先端が配管２１の管先端を押す方向に動くので、反応が鈍くなる可能性がある。そこで、ストッパ２２ｄがケース２４の板に当接するようにして、揺動棒２２ａが垂直方向に下りた状態で静止させている。
【００５５】
揺動棒を揺動軸２２ｃに直接、すなわち、Ｔ字型となるように取付けてもよい。これにより、揺動棒の先端が配管２１の管先端を押す方向に働く力がなくなり、排水が少量の場合でも、正確に揺動する。なお、揺動棒２２ａは樹脂製であるが、ステンレスを紙片が付着し難くなるようにフッ素加工したものでもよい。
【００５６】
次に、図７を参照して、槽内濃度の時間変化と紙処理装置１の制御を説明する。監視装置２０のもう１つの役割として、廃紙の追加投入の許可等がある。
【００５７】
まず、紙処理装置１は、処理が可能な廃紙の数を最大２００枚（Ａ４用紙）としている。ただし、一度に投入可能な枚数を２０枚、連続投入が可能な回数を１０回とし、合計で２００枚となるようにしている。
【００５８】
ここで、図示するグラフは、横軸が監視装置２０が反応するまでの時間Ｔ、縦軸が濃度Ｎである。紙処理装置１は、廃紙を投入した直後でも廃紙が残っており、ある程度の濃度があるものと仮定して処理を開始する。その後、時間の経過と共に解繊が進み、濃度が低下していく。以下では、グラフの（１）〜（３）の状況を説明する。
【００５９】
（１）Ｔ＜ｔ２
廃紙を投入した直後は、撹拌は行っているものの、制御装置は、まだ吐出ポンプ１５を停止させている。制御装置は、撹拌サイクルが所定の回数（例えば、１２／１６）となったとき、吐出ポンプ１５の動作を開始させる。監視装置２０が出力する制御信号により圧縮装置１８による圧縮が開始するが、初めは、制御信号が出力されるまでの時間Ｔが短い（Ｔ＜ｔ１）。従って、紙処理装置１は、時刻ｔ１に対応する閾値Ａ（時間から見積られる濃度）までに制御信号が出力される場合を、濃度「高」の状態と判断する。
【００６０】
その後、廃紙の解繊がある程度進むので、時間Ｔが長くなる（ｔ１≦Ｔ＜ｔ２）。すなわち、濃度が低くなるにつれて、廃紙が圧縮シリンダ１７ａに溜まるのに時間がかかるようになり、時間Ｔは伸びていく。紙処理装置１は、時刻ｔ１から時刻ｔ２で到達する閾値Ｂ直前までに制御信号が出力される場合を、濃度「中」の状態と判断する。
【００６１】
（２）ｔ２≦Ｔ＜ｔ３
さらに廃紙の解繊が進むと、時間Ｔがさらに長くなる（ｔ２≦Ｔ＜ｔ３）。紙処理装置１は、時刻ｔ２から時刻ｔ３で到達する閾値Ｃ直前までに制御信号が出力される場合を、濃度「低」の状態と判断する。このとき、制御装置は、撹拌槽５の廃紙がほとんど解繊したと判断して、追加投入を許可する。その後、使用者の操作により投入口２の投入口シャッタが開放する。
【００６２】
新たに廃紙が投入されたとき、撹拌処理と圧縮装置１８による圧縮の処理を並行して行うと、すぐには廃紙が解繊しないため、閾値Ｃに到達してしまう可能性がある。これを回避するため、廃紙の投入が行われた場合には、制御装置は撹拌処理のみを継続し、吐出ポンプ１５の動作を停止させる。
【００６３】
そして、撹拌サイクルが所定の回数（例えば、１２／１６）となったとき、吐出ポンプ１５の動作を再開させる。なお、閾値Ｃに到達してしまった場合には、連続投入のカウントはリセットされるが、残りの撹拌サイクルは全て実行される。
【００６４】
（３）Ｔ＝ｔ３
紙処理装置１では、時間Ｔが時刻ｔ３、すなわち、濃度が閾値Ｃに到達したとき、制御装置は、撹拌、吐出ポンプ１５の動作及び圧縮装置１８による圧縮を中止する。これにより、紙処理装置１の一連の動作が終了する。
【００６５】
なお、廃紙の追加投入の許可は、濃度以外を契機に行うこともできる。例えば、規定数の固形ブロック（例えば、３０個）を排出する毎に、廃紙を投入できるように連続投入の回数を１回加算してもよい。また、この条件と濃度の条件の両方で追加投入を許可するようにしてもよい。
【００６６】
最後に、図８を参照して、本発明の変更例である監視装置３０の詳細を説明する。ここでも、内部構造が視認できるようにケースの内側を示している。
【００６７】
監視装置３０（本発明の「水量検出部」）の配管３１は、上述の廃紙集積部１７の排出樋（図示省略）とホースで接続されているので、排水が廃紙集積部１７の下方に配置する監視装置３０の本体側に送られてくる。また、配管３１を通過した排水は、ケース３４内に位置する管先端から流出し、図示しない流路を通じて撹拌槽５に戻される。
【００６８】
この例では、管先端には、揺動部３２の揺動板３２ａ（本発明の「平板」）が配置されている。配管３１に排水が流れていない状態では、排水による力を受けないので、揺動板３２ａは、管先端から１〜２ｍｍ離れた状態（初期状態）で静止している。しかし、吐出ポンプ１５による吐出が開始し、排水が配管３１を流れるようになると、排水による力を受けて揺動板３２ａが管先端から離れ、徐々に振れ角が大きくなる。
【００６９】
ここで、揺動板３２ａは、配管３１の下端を覆うように配置する。揺動板３２ａは、図６Ａの揺動棒２２ａと比較すると、排水によって押される部分の面積が広いので、配管３１を流れる排水が少量の場合でも、配管３１の下端付近を流れる排水の力を受けて揺動する。
【００７０】
揺動板３２ａの上方には、揺動検出センサ３３（本発明の「揺動検出部」）が配置されている。また、揺動板３２ａは被検出片３２ｂを有するので、揺動板３２ａが振れ始めたとき、揺動検出センサ３３が反応し、揺動の開始を検出する。
【００７１】
図６Ａの揺動部２２と同様に、揺動板３２ａが所定の振れ角になったとき、揺動検出センサ３３により被検出片３２ｂが検出され、揺動検出センサ３３が再度反応する。揺動検出センサ３３の再度の反応により制御信号が出力されると、制御装置は、吐出ポンプ１５による吐出を一時停止し、圧縮装置１８による圧縮を開始する。この構成でも、排水量の変化をトリガとして圧縮を行うので、常にほぼ同じ大きさの固形ブロックが生成される。以上、紙処理装置１を構成する各部材の詳細を説明した。
【００７２】
以上のように、実施例の紙処理装置１は、排出された溶液の水量により揺動角が変化する揺動部２２（３２）と、該揺動部が所定の揺動角となった場合に反応する揺動検出部２３（３３）を備えた監視装置２０（３０）を有する。監視装置２０（３０）は、検出される溶液の水量変化を揺動部２２（３２）の揺動角（振れ角）で検出し、圧縮部１８を動作させるので、容易に同じサイズの固形ブロックを生成することができる。
【００７３】
上記実施例は、本発明の一例であり、これ以外にも様々な変形例が考えられる。揺動部２２の揺動棒２２ａは、揺動軸２２ｃに直接取り付けられる等、形状は様々に変更可能である。揺動部３２の揺動板３２ａも配管３１の全体を覆う大きさにする等、形状を変更可能である。
【００７４】
回転翼の翼片は４枚とするのが好ましいが、３枚や５枚であってもよい。回転翼の本体部の形状は、回転軸に向かって曲線的に広くなるようにしているが、直線状に広くなるようにしてもよい。また、先端部は、その最先端部が正回転方向を向いていてもよい。
【００７５】
実施例の底面容器は、上面に大きな円形穴を空け、その上にプレートを取り付けたが、底面容器の上面に直接、排出穴を設けてもよい。また、排出穴の直径を８．０ｍｍ、排出穴の直径と、ヘラ部−プレート間の距離との関係を８：１とするのが最適の条件である。
【００７６】
排出穴の直径は適宜決定してよいが、せいぜい６．０〜１２．０ｍｍの範囲が好ましい。特に、直径を１２．０ｍｍより大きくしてしまうと、比較的大きな廃紙の片も排出穴に落ちてしまい、特に、機密文書を処理する場合に問題が生じる。
【００７７】
これ以外にも、ユーザによっては一度に投入可能な廃紙の枚数を変更したい場合があるので、投入口２の幅を変更可能にしてもよい。例えば、一度に投入可能な枚数を５０枚とし、連続投入が可能な回数を４回となるようにしてもよい。
【符号の説明】
【００７８】
１…紙処理装置、２…投入口、３…投入シュータ、５…撹拌槽（タンク部）、８…フロート、８’…水位検出センサ、９…給水タンク、１０…撹拌駆動モータ、１１…回転軸、１２…回転翼（回転翼部）、１２ａ…本体部、１２ｂ…先端部、１２ｃ…ヘラ部、１３…プレート（プレート部）、１３ａ…排出穴、１４…底面容器、１５…吐出ポンプ（ポンプ部）、１６…ポンプ駆動モータ、１７…廃紙集積部、１７ａ…圧縮シリンダ、１８…圧縮装置（圧縮部）、１９…排出シュータ、２０，３０…監視装置（水量検出部）、２１，３１…配管（流路）、２２，３２…揺動部、２２ａ…揺動棒（棒状部材）、２２ｂ，３２ｂ…被検出片、２２ｃ…揺動軸、２３，３３…揺動検出センサ、２４，３４…ケース、３２ａ…揺動板（平板）。
【図１】
2016138341.tif 000003
【図２】
2016138341.tif 000004
【図３】
2016138341.tif 000005
【図４】
2016138341.tif 000006
【図５】
2016138341.tif 000007
【図６Ａ】
2016138341.tif 000008
【図６Ｂ】
2016138341.tif 000009
【図７】
2016138341.tif 000010
【図８】
2016138341.tif 000011